(57)【要約】      （修正有）【課題】梱包箱のサイズを大きくすることなく、収容物を容易に取り出すことができる梱包材を提供することを目的とする。【解決手段】梱包材６は、表示部本体２を載置する底面部８と該底面部と略垂直をなす側面部９，１０とから形成されており、底面部は、折り曲げ部１１，１２を含み、該折り曲げ部及び側面部が略垂直である状態を保持して折り曲げ部を折り曲げ、底面部の断面を略コの字状にすることにより、表示部本体の下方に空間を形成することを特徴とする。【選択図】図１
2014034403.tif 000002
【特許請求の範囲】
【請求項１】
表示装置の表示部本体を梱包する梱包材であって、
前記梱包材は、前記表示部本体を載置する底面部と該底面部と略垂直をなす側面部とから形成されており、
前記底面部は、折り曲げ部を含み、
該折り曲げ部及び前記側面部が略垂直である状態を保持して前記折り曲げ部を折り曲げ、前記底面部の断面を略コの字状にすることにより、前記表示部本体の下方に空間を形成することを特徴とする梱包材。
【請求項２】
前記側面部は、断面が略コの字状として形成されることを特徴とする請求項１に記載の梱包材。
【請求項３】
前記表示部本体には、上部緩衝材及び下部緩衝材が嵌合されていて、前記表示部本体の下方に空間が形成されたことにもとづいて、前記上部緩衝材を前記表示部本体を支持するように、前記下部緩衝材の下側に設置することを特徴とする請求項１または２に記載の梱包材。
【請求項４】
前記側面部又は／及び前記上部緩衝材には、持ち手部が形成されることを特徴とする請求項３に記載の梱包材。
【請求項５】
前記底面部及び側面部を固定する補強部材を設けることを特徴とする請求項１から４に記載の梱包材。
【請求項６】
前記側面部には、少なくとも一つ以上の折込部が形成されることを特徴とする請求項１から５に記載の梱包材。
【発明の詳細な説明】
【技術分野】
【０００１】
本発明は、表示装置の梱包材に関する。
【背景技術】
【０００２】
液晶テレビなどの表示装置は、梱包箱のサイズを小さくして輸送コストを下げる観点から、表示部本体とスタンドとが分離された状態で梱包されて、購入者のもとに届けられ、購入者によって、梱包が解かれ表示部本体とスタンドの取り付けが行われる。
【０００３】
ところで、近年では、大型の液晶テレビも販売されており、こういった大型液晶テレビの中には、１００キログラムほどの重量に達するものもあり、購入者が一人でスタンドの取り付け作業を行うことは困難である。故に、前記大型液晶テレビを購入し、購入者のもとに届けられた際には、サービスマンが三人ほど赴いて、表示部本体にスタンドを取り付ける作業を行わなければならず、大変煩わしかった。
【０００４】
特許文献１には、スタンドの取り付け作業の作業負担を軽減することができる薄型表示装置の梱包箱について開示されている。
【０００５】
図７は、前記梱包箱に係る分解斜視図を示しており、４３は梱包箱、４４は上部パッキングケース、４５は緩衝材、４６はミシン目、４７は開口部、４８は薄型表示装置、４９は表示画面、５０は背面、５１はスタンド取り付け部、５２は下部パッキングケースである。
【０００６】
開封時には、ミシン目４６に沿って切り開いて開口部４７を形成することで、スタンドを取り付けることができることから、スタンド取り付けに際して薄型表示装置を梱包箱から取り出したり、それを横たえたりするなどの慎重を要する作業は無く、開封時の作業負担を軽減することができる梱包箱について開示されている。
【先行技術文献】
【特許文献】
【０００７】
【特許文献１】特開２００６−１６０３３５号公報
【発明の概要】
【発明が解決しようとする課題】
【０００８】
しかしながら、特許文献１に記載の技術では、薄型表示装置を所定の高さに保持しておくために梱包箱の高さを高くする必要があり、梱包箱のサイズを大きくしなければならず、ひいては一台あたりの輸送コストが高くなるという問題を生じていた。
【０００９】
そこで、本発明は、上記課題を解決するためのものであり、梱包箱のサイズを大きくすることなく、スタンドの取り付けを容易に行うことができる梱包材を提供することを目的とする。
【課題を解決するための手段】
【００１０】
本発明にかかる梱包材は、表示装置の表示部本体を梱包する梱包材であって、前記梱包材は、前記表示部本体を載置する底面部と該底面部と略垂直をなす側面部とから形成されており、前記底面部は、折り曲げ部を含み、該折り曲げ部及び前記側面部が略垂直である状態を保持して前記折り曲げ部を折り曲げ、前記底面部の断面を略コの字状にすることにより、前記表示部本体の下方に空間を形成することを特徴とする。
【００１１】
前記側面部は、断面が略コの字状として形成されることを特徴とする。
【００１２】
前記表示部本体には、上部緩衝材及び下部緩衝材が嵌合されていて、前記表示部本体の下方に空間が形成されたことにもとづいて、前記上部緩衝材を前記表示部本体を支持するように、前記下部緩衝材の下側に設置することを特徴とする。
【００１３】
前記側面部又は／及び前記上部緩衝材には、持ち手部が形成されることを特徴とする。
【００１４】
前記底面部及び側面部を固定する補強部材を設けることを特徴とする。
【００１５】
前記側面部には、少なくとも一つ以上の折込部が形成されることを特徴とする。
【発明の効果】
【００１６】
本発明に係る梱包材によれば、梱包箱のサイズを大きくすることなく、かつ、スタンドの取り付けを容易に行うことができる。
【図面の簡単な説明】
【００１７】
【図１】本発明の第１の実施例に関する梱包材を示す分解斜視図。
【図２】本発明の第１の実施例に関する表示部本体を下部外装ケースによって持ち上げる様子を示す斜視図。
【図３】表示部本体を持ち上げているときの下部外装ケースの形状を示す斜視図。
【図４】本発明の第２の実施例に関する下部外装ケース及び補強部材の形状を示す斜視図。
【図５】本発明の第３の実施例に関する表示部本体を下部外装ケースによって持ち上げる様子を示す斜視図。
【図６】本発明の第４の実施例に関する下部外装ケースの形状を示す斜視図。
【図７】本発明の第５の実施例に関する下部外装ケースの形状を示す斜視図。
【図８】本発明の第６の実施例に関する表示部本体を下部外装ケースによって持ち上げる様子を示す斜視図。
【図９】本発明の第７の実施例に関する下部外装ケースの形状を示す斜視図。
【図１０】本発明の第７の実施例に関する下部外装ケースの形状を示す斜視図。
【図１１】従来技術に関する分解斜視図。
【発明を実施するための形態】
【００１８】
【実施例１】
【００１９】
本発明の実施例１について、図１を用いて説明する。図１は、本発明に係る梱包材を示す図である。図１（ａ）〜（ｃ）は、梱包を解いた状態を示す分解斜視図であって、図１（ａ）におけるは、上部外装ケース１であり、１ａは上面部、１ｂは表示装置の表示画面に対向する前面部、１ｃは表示装置の背面に対向する背面部である。上部外装ケース１は、例えば段ボールを折り曲げることによって形成される。
【００２０】
図１（ｂ）において、２は表示装置の表示部本体で、３は表示画面であり、該表示部本体を支持するスタンドとは分離された状態で梱包される。
【００２１】
また、４は上部緩衝材、５は下部緩衝材であり、前記表示部本体を嵌め込んで支持するような形状として形成されており、例えば、段ボール、発泡スチロールなどによって形成されている。前記緩衝材によって、表示部本体への輸送による衝撃、擦過に起因する傷つきを防止できる。
【００２２】
図１（ｃ）における６は下部外装ケースであり、上面部が開口している略直方体形状であって、７は開口部である。下部外装ケース６は、例えば、段ボールに開口部７を形成することによって形成する。
【００２３】
８は前記表示部本体を載置する底面部であり、９、１０は断面がコの字状の側面部である。該側面部は、前記底面部８の両短辺に略垂直に連なる第一面部９ａ及び第二面部１０ａと、該第一面部９ａの長辺及び前記底面部の長辺の一部と連なり、互いに対向する第三面部９ｂ及び第四面部９ｃと、前記第二面部１０ａの長辺及び前記底面部の長辺の一部と連なり、互いに対向する第五面部１０ｂ及び第六面部１０ｃとから形成される。
【００２４】
また、底面部８における１１、１２は、折り曲げ部であって、黒塗り部として示している。底面部８を折り曲げられるように、底面部８の両短辺から長さＬの位置までを折り曲げ部１１、１２として形成している。
【００２５】
図２は、表示部本体２を下部外装ケース６によって持ち上げる様子を示していて、図２（ａ）は、上部緩衝材４、下部緩衝材５及び下部外装ケース６によって梱包されている状態を示している。また、図２（ａ）における側面部９、１０から紙面に向かって下側に伸びる矢印は、前記側面部９、１０をそれぞれ紙面に向かって左側、右側に開放する方向を示している。
【００２６】
図２（ｂ）は、側面部９、１０を開放するように折り曲げ部１１、１２に沿って折り曲げて、表示部本体２を高さＬだけ持ち上げている状態を示しており、このときの下部外装ケース６は、図３に示すような形状となっている。
【００２７】
尚、表示部本体２を持ち上げる高さに関し、本実施例においては、高さをＬとしているが、別途梱包されているスタンドの取り付けを行うことができる所定の高さまで持ち上げるものであればよいものとする。
【００２８】
上述した下部外装ケース６のような梱包材を用いて、表示部本体２の下方に空間を設けることで、梱包箱のサイズを大きくすることなく、容易にスタンドの取り付けを行うことができる。
【００２９】
また、図２（ｃ）は、上部緩衝材４を下部緩衝材５の下側に挿入して表示部本体２を支持している様子を示している。これにより、表示部本体２をより安定させた状態でスタンドの取り付けを行うことができる。
【実施例２】
【００３０】
図４は、下部外装ケース６に係る補強部材について示している。図４に示すように、底面部８と側面部９、１０とを固定するために断面が略Ｌ字状の補強部材１３、１４を設けてもよい。補強部材１３、１４は、底面部８と側面部９、１０の内面または外面のどちらに設けてもよく、例えば、接着剤などによって底面部８及び側面部９、１０の第一面部９ａ及び第二面部１０ａを接着させる。また、前記補強部材に関し、図３（ｂ）の紙面に向かって右側に図示する補強部材１５、１６のような形状であってもよく、第一面部９ａ及び第二面部１０ａに加えて、更に第三面部９ｂ、第四面部９ｃ、第五面部１０ｂ、第六面部１０ｃを固定できるような形状であってもよい。
【実施例３】
【００３１】
図５は、形状の異なる下部外装ケース１７を用いて、表示部本体を持ち上げるときの様子を示している。図５において、１８は開口部であり、１９は前記表示部本体を載置する底面部であり、２０、２１は、側面部である。該側面部は、前記底面部１９の両短辺に連なり、互いに対向している。
【００３２】
また、底面部１９を折り曲げられるように、底面部１９の両短辺から長さＬの位置までを折り曲げ部２２、２３として形成している。
【００３３】
図５（ｂ）は、側面部２０、２１を押し開くように折り曲げ部２２、２３に沿って折り曲げて開放し、表示部本体２を高さＬだけ持ち上げている状態を示している。
【００３４】
図５（ｃ）は、上部緩衝材４を下部緩衝材５の下に挿入して表示部本体２を支持している様子を示している。
【００３５】
上述したように、極めて簡単な形状として形成することができる下部外装ケースを用いて、梱包箱のサイズを大きくすることなく、容易にスタンドの取り付けを行うことができる。
【実施例４】
【００３６】
図６は、下部外装ケース２４の形状に関して示していて、開口部２５、底面部２６、側面部２７、２８、折り曲げ部２９、３０から形成される。実施例１において上述した下部外装ケース６と異なる形状は、第三面部２７ｂ、第四面部２７ｃ、第五面部２８ｂ、第六面部２８ｃを三角形状としていることである。
【実施例５】
【００３７】
図７は、下部外装ケース３１の形状を示しており、持ち手部３６を設けている。前記持ち手部は、貫通孔とする。これにより、容易に側面部３４、３５を開放するように折り曲げ部を折り曲げることができる。
【実施例６】
【００３８】
図８は、上部緩衝材３８に持ち手部３７を設け、該持ち手部３７を用いて上部緩衝材３８とともに側面部９、１０を開放して、表示部本体２を持ち上げるときの様子を示している。
【００３９】
図８（ａ）は、上部緩衝材３８、下部緩衝材５及び下部外装ケースによって梱包されている状態を示していて、図中の紙面に向かって下側に伸びる矢印は、側面部９、１０を開放する方向を示している。
【００４０】
図８の紙面に向かって右側には、図８（ａ）で示した上部緩衝材３８の形状を図示している。
【００４１】
また、図８（ｂ）は、側面部９、１０を開放して、折り曲げ部に沿って折り曲げて、表示部本体２を高さＬだけ持ち上げたときの様子を示している。図中の矢印は、表示部本体２を支持するために、側面部９、１０に沿って上部緩衝材３８をそれぞれ下部緩衝材５の下に移動させて、挿入するときの移動方向を示している。前記矢印で示すように前記上部緩衝材３８を前記側面部９、１０に沿って、スライドさせるようにして、前記下部緩衝材５の下側に設置する。
【００４２】
上述したように、上部緩衝材とともに側面部を開放することにより、上部緩衝材を側面部に沿って移動させることのみによって、表示部本体を支持することができる。
【実施例７】
【００４３】
図９は、下部外装ケース３９を示していて、折込部４０を設けている。図９（ａ）は、下部外装ケースの形状を示す斜視図であり、折込部４０を設けている。このように、折込部を設けることにより、側面部の強度をより向上させられるので、より確実に下部外装ケースによって表示部本体を持ち上げることができる。  
【００４４】
また、図９（ｂ）は、下部外装ケース３９の展開図であり、３７は持ち手部、４１及び４２は貫通孔である。貫通孔４１は、折込部４０を設けた状態で側面部４３、４４を形成するときに、折り曲げられるようにするために、設けている。また、貫通孔４２は、表示部本体を下部外装ケース３９によって梱包している状態から、側面部４３、４４を開放して表示部本体を持ち上げるときに、折り曲げ部４５、４６を折り曲げられるようにするために設けている。
【００４５】
折込部４０は、予め上述した貫通孔を空けておき、図９（ｂ）において示す破線部を折り曲げて、断面が略Ｔ字状になるように突出させて形成する。
【００４６】
また、図１０は、折込部４０を二箇所設けている。これにより、折込部の一部に貫通孔を生じさせることなく持ち手部を形成でき、側面部の強度も向上させられる。
【００４７】
尚、敢えて図示しないが、本実施例で示した下部外装ケースを用いて表示部本体を梱包するときは、上部緩衝材及び下部緩衝材には、下部外装ケースに設けた折込部の形状に対応させて、予め所定の形状の開口部を備えて形成されるものとする。
【符号の説明】
【００４８】
１  上部外装ケース
２  表示部本体
３  表示画面
４  上部緩衝材
５  下部緩衝材
６、１７，２４  下部外装ケース
７，１８，２５  開口部
８，１９、２６  底面部
９、１０、２０、２１、２７、２８  側面部
１１、１２、２２、２３、２９、３０  折り曲げ部
１５、１６、１７、１８  補強部材
３６、３７  持ち手部
４０  折込部
【図１】
2014034403.tif 000003
【図２】
2014034403.tif 000004
【図３】
2014034403.tif 000005
【図４】
2014034403.tif 000006
【図５】
2014034403.tif 000007
【図６】
2014034403.tif 000008
【図７】
2014034403.tif 000009
【図８】
2014034403.tif 000010
【図９】
2014034403.tif 000011
【図１０】
2014034403.tif 000012
【図１１】
2014034403.tif 000013